(57)【要約】    【課題】  吸湿材の再生性能を向上させ、省電力、長寿命な除湿機を提供する。    【解決手段】  吸湿材４と、吸湿材４で吸湿される吸湿空気２を送る送風機５と、吸湿材４を再生する循環空気８を送る循環送風機９と、吸湿材４を通過する循環空気８を加熱する加熱手段７ａ，７ｂと、吸湿材４を通過した循環空気８を冷却して水分を凝縮させる熱交換器３とを備えた。加熱手段７ａ，７ｂを吸湿空気の上流側と下流側の両面に設け、上流側の前記加熱手段７ｂの発熱量を下流側７ａよりも大きくした。    【選択図】    図１
2005193184.tif 000002
【特許請求の範囲】
【請求項１】
吸湿材と、この吸湿材で吸湿される吸湿空気を送る送風機と、前記吸湿材を再生する循環空気を送る循環送風機と、前記吸湿材を通過する循環空気を加熱する加熱手段と、前記吸湿材を通過した循環空気を冷却して水分を凝縮させる熱交換器とを備えた除湿機であって、前記加熱手段を吸湿空気の上流側と下流側の両面に設け、上流側の前記加熱手段の発熱量を下流側よりも大きくしたことを特徴とする除湿機。
【発明の詳細な説明】
【技術分野】
【０００１】
本発明は、吸湿材を備えた除湿機に関する。
【背景技術】
【０００２】
従来の吸湿材を備えた除湿機は、図２に示すように、101は除湿機本体であって、この除湿機本体101は吸湿空気102の上流側より熱交換器103，吸湿材104，送風機105が配置され、吸湿空気102は送風機105により除湿機本体101内部に取り込まれて熱交換器103を冷却し、その後、吸湿材104により吸湿されてから外部へ排気される。
【０００３】
吸湿材104は回転体であり、吸湿領域104Ａと再生領域106を順次回転しながら吸放湿を繰り返す。吸湿材104の再生領域106は、加熱手段107の輻射熱と加熱手段107により加熱された循環空気108とにより加熱され、吸着した水分を放出し、循環空気108はその放出した水分を多量に含み高温高湿となって循環送風機109によって熱交換器103へ送られる。そして、循環空気108は吸湿空気102により冷却された熱交換器103内で冷却され、熱交換器103の内部表面に水分が結露し、この結露した水は熱交換器103からドレンパン（図示せず）へ流れ落ち、その後、ドレンパンからタンク110へ排水されるようになっている。
【０００４】
このような除湿機に用いられる吸湿材は、高温に加熱するほど吸着した水分を多く放出する性質を有している。しかし、従来の除湿機では、吸湿材の加熱手段が配置されている側だけが極端に加熱され、加熱手段が配置されていない側では水分の放出が不十分のままであった。そして、吸湿材の加熱手段が配置されていない側の水分を十分に放出させるためには、加熱手段の発熱量を上げてより高温にしなければならないため、消費電力の増加や吸湿材の熱劣化を引き起こすという問題があった。
【特許文献１】特開２００３−１４４８３３号公報
【発明の開示】
【発明が解決しようとする課題】
【０００５】
本発明は、吸湿材の再生性能を向上させ、省電力、長寿命な除湿機を提供することを目的とする。
【課題を解決するための手段】
【０００６】
本発明の請求項１の除湿機では、加熱手段を吸湿空気の上流側と下流側の両面に設けたことで、吸湿材を吸湿空気の上流側と下流側の両方から加熱して吸湿した水分を十分に放出させることができ、これにより、従来の除湿機のように吸湿材全体の水分を放出させるために極端に加熱手段の発熱量を上げる必要がなく、より省電力で稼動し、吸湿材の局部的な温度上昇による熱劣化を防止した長寿命な除湿機を提供することができる。また、上流側の加熱手段の発熱量を下流側よりも大きくしたことで、より効率的、均一に吸湿材を加熱して、省電力、長寿命な除湿機を提供することができる。
【発明の効果】
【０００７】
本発明の請求項１の除湿機によれば、吸湿材を吸湿空気の上流側と下流側の両方から加熱して吸湿した水分を十分に放出させることができ、これにより、従来の除湿機のように吸湿材全体の水分を放出させるために極端に加熱手段の発熱量を上げる必要がなく、より省電力で稼動し、吸湿材の局部的な温度上昇による熱劣化を防止した長寿命な除湿機を提供することができる。また、より効率的、均一に吸湿材を加熱して、省電力、長寿命な除湿機を提供することができる。
【発明を実施するための最良の形態】
【０００８】
以下、本発明における除湿機の一実施例について、添付図面を参照しながら説明する。
【実施例１】
【０００９】
１は除湿機本体であって、この除湿機本体１は吸湿空気２の上流側より熱交換器３，吸湿材４，送風機５が配置され、吸湿空気２は送風機５により除湿機本体１内部に取り込まれて熱交換器３を冷却し、その後、吸湿材４により吸湿されてから外部へ排気されるように構成されている。
【００１０】
吸湿材４はハニカム構造に形成され、その表面に水分を吸着するためのシリカゲルなどの吸湿剤を担持している。あるいは、吸湿剤４は、ハニカム状のシリカゲルで形成してもよい。そして、吸湿材４は、図示しない駆動手段により回転する回転体であり、吸湿領域４Ａと再生領域６ａ，６ｂを順次回転しながら吸放湿を繰り返すようになっている。また、吸湿材４の上流側と下流側には、それぞれ加熱手段７ｂ，７ａが設けられ、吸湿材４を通過して吸湿材４を再生する循環空気８を加熱するように構成されている。また、９は循環空気８を循環させる循環送風機である。なお、上流側の加熱手段７ｂの発熱量は、下流側の加熱手段７ａよりも大きく設定されている。
【００１１】
そして、吸湿材４は、再生領域６ｂにおいて、加熱手段７ｂの輻射熱と加熱手段７ｂにより加熱された循環空気８とにより加熱され、吸湿材４の上流側の表面に近い部分に吸着した水分を放出し、その後、再生領域６ａにおいて、加熱手段７ａの輻射熱と加熱手段７ａにより加熱された循環空気８とにより加熱され、吸湿材４の下流側の表面に近い部分に吸着した水分を放出し、循環空気８はその放出した水分を多量に含み高温高湿となって循環送風機９によって熱交換器３へ送られるようになっている。
【００１２】
また、10は熱交換器３の下方に設けられたタンクであり、吸湿空気２により冷却された熱交換器３内で冷却された循環空気８に含まれる水分が凝縮して熱交換器３の内部表面に結露し、この結露した水は熱交換器３からドレンパン（図示せず）へ流れ落ち、その後、ドレンパンからタンク10へ排水されるようになっている。
【００１３】
つぎに、上記構成についてその作用を説明する。除湿機の運転を開始すると、送風機５により吸湿空気２が除湿機本体１内に取り込まれる。そして、この吸湿空気２は、熱交換器３を冷却し、その後、吸湿材４の吸湿領域４Ａを通って吸湿され、乾燥した空気となって外部へ排気される。このとき、吸湿材４の下流側よりも上流側において、多くの水分が吸着される。
【００１４】
吸湿材４は、図示しない駆動手段により連続的に回転し、水分を吸着した吸湿領域４Ａは順に再生領域６ａ、再生領域６ｂへ移動する。また、循環空気８は循環送風機９によって、吸湿材４の再生領域６ｂ，再生領域６ａ，熱交換器３を順に循環して循環送風機９に戻る。
【００１５】
そして、吸湿材４の上流側は、再生領域６ｂにおいて、吸湿材４の上流側に設けられた加熱手段７ｂの輻射熱と加熱手段７ｂにより加熱された循環空気８とにより加熱され、吸湿材４の上流側の表面に近い部分に吸着した水分を放出する。ここで、吸湿材４の上流側は下流側よりも多量の水分を吸着しているので、吸湿材４の上流側を加熱することで、非常に効率よく水分を放出させることができる。
【００１６】
その後、吸湿材４の下流側は、再生領域６ａにおいて、吸湿材４の下流側に設けられた加熱手段７ａの輻射熱と加熱手段７ａにより加熱された循環空気８とにより加熱され、吸湿材４の下流側の表面に近い部分に吸着した水分を放出する。そして、再生領域６ａ，６ｂで放出された水分を多量に含んで高温高湿となった循環空気８は、循環送風機９によって熱交換器３へ送られる。
【００１７】
なお、上流側の加熱手段７ｂの発熱量は、下流側の加熱手段７ａよりも大きく設定されており、水分をより多く含む吸湿材４の上流側の水分が効率的に放出される。また、加熱手段７ａ，７ｂにより吸湿材４の上流側、下流側の両側から加熱することにより、下流側からのみ加熱した場合と比較して、非常に効率よく水分が放出される。
【００１８】
そして、熱交換器３へ送られた循環空気８は、熱交換器３内で冷却され、循環空気８に含まれる水分が凝縮して熱交換器３の内部表面に結露する。この結露した水は熱交換器３からドレンパン（図示せず）へ流れ落ち、その後、ドレンパンからタンク10へ排水される。
【００１９】
以上のように、本実施例では、吸湿材４と、この吸湿材４で吸湿される吸湿空気２を送る送風機５と、前記吸湿材４を再生する循環空気８を送る循環送風機９と、前記吸湿材４を通過する循環空気８を加熱する加熱手段７ａ，７ｂと、前記吸湿材４を通過した循環空気８を冷却して水分を凝縮させる熱交換器３とを備えた除湿機であって、前記加熱手段７ａ，７ｂを吸湿空気の上流側と下流側の両面に設け、上流側の前記加熱手段７ｂの発熱量を下流側７ａよりも大きくしている。
【００２０】
このように構成したことによって、加熱手段７ａ，７ｂを吸湿空気の上流側と下流側の両面に設けたことで、吸湿材４を吸湿空気２の上流側と下流側の両方から加熱して吸湿材４の温度を十分に上昇させ、吸湿した水分を十分に放出させることができる。これにより、従来の吸湿材の下流側にのみ加熱手段を有する除湿機のように吸湿材全体の水分を放出させるために極端に加熱手段の発熱量を上げる必要がなく、より省電力で稼動し、吸湿材４の局部的な温度上昇による熱劣化を防止した長寿命な除湿機を提供することができる。
【００２１】
また、上流側の加熱手段７ｂの発熱量を下流側７ａよりも大きくしたことで、水分をより多く吸着する吸湿材４の上流側が効率的に加熱され、より効率的、均一に吸湿材４を加熱して、省電力、長寿命な除湿機を提供することができる。
【００２２】
なお、吸湿空気２の風速、吸湿材４の回転速度などにより、吸湿材４に吸着される水分量が吸湿材４の厚み方向、すなわち吸湿空気２の流れ方向で不均一になるような場合であっても、吸湿材４の吸湿空気２の流れ方向の上流側の加熱手段７ｂと、下流側の加熱手段７ａの発熱量を、吸湿材４に吸着された水分を十分に取り除くことができるような発熱量に設定すれば、無駄な電力の消費を抑え、吸湿材４の局部的な温度上昇をなくすことができ、省電力かつ長寿命な除湿機を容易に提供することができる。
【００２３】
本発明は上記実施例に限定されるものではなく、本発明の要旨の範囲において種々の変形実施が可能である。例えば、加熱手段７ａ，７ｂの吸湿材４に対する配置方向や、再生領域６ａ，６ｂにおける循環空気８の流れ方向は、上記実施例と逆であってもよい。
【図面の簡単な説明】
【００２４】
【図１】本発明の除湿機の一実施例を示す概略説明図である。
【図２】従来の除湿機を示す概略説明図である。
【符号の説明】
【００２５】
２  吸湿空気
３  熱交換器
４  吸湿材
５  送風機
７ａ，７ｂ  加熱手段
８  循環空気
９  循環送風機
【図１】
2005193184.tif 000003
【図２】
2005193184.tif 000004